(57)【要約】【課題】  複数の可動ユニットを機器本体の前面パネル部に備える電子機器で、電子機器の消費電力を低減させる。【解決手段】  電子機器１は電子機器本体２、第一操作ユニット３、第二操作ユニット４で構成される。第一操作ユニット３には、制御ＣＰＵ２１が備わり、第二操作ユニット４には、制御ＣＰＵ２２が備わる。電子機器本体２にはシステムＣＰＵ３１、第一操作ユニット３の制御ＣＰＵ２１に電源を供給する制御ＣＰＵ用電源３３、第二操作ユニット４の制御ＣＰＵ２２に電源を供給する制御ＣＰＵ用電源３５を備え、更に操作ユニットの位置を検出する位置検出部３７を備える。第一操作ユニット３及び第二操作ユニット４の位置に基づいて制御ＣＰＵ用電源３５の電源を遮断する。【選択図】      図１
2004234836.tif 000002
【特許請求の範囲】
【請求項１】
電源が供給されることにより各々が独立して動作可能であり、かつ各々が機器本体の前面パネル部に対して移動可能となる第1の可動ユニットと第2の可動ユニットを備えた電子機器であって、
前記第1の可動ユニットと前記第2の可動ユニットに電源を供給する電源供給手段と、
前記第1の可動ユニットと前記第2の可動ユニットの位置を検出する位置検出手段と、
前記位置検出手段の検出結果に応じて前記第2の可動ユニットへの電源供給のみを遮断する電源制御手段と、を備えたことを特徴とする電子機器。
【請求項２】
前記第1の可動ユニットと第2の可動ユニットは、前記前面パネル部の前方に互いに重なるように配される第1位置と、それらの前面が共に前記前面パネル部の前方に露出される第2位置とに亘って移動可能であり、
前記電源制御手段は、前記位置検出手段によって前記第1位置にあることが検出されたとき、前記第2の可動ユニットへの電源供給のみを遮断することを特徴とする請求項１に記載の電子機器。
【請求項３】
電源が供給されることにより各々が独立して動作可能であり、かつ各々が機器本体の前面パネル部に対して移動可能となる第1の可動ユニットと第2の可動ユニットを備えた電子機器の制御方法であって、
前記第1の可動ユニットと前記第2の可動ユニットの位置を検出する工程と、
前記位置の検出結果に応じて前記第2の可動ユニットへの電源供給のみを遮断する工程と、を有することを特徴とする電子機器の制御方法。
【発明の詳細な説明】
【技術分野】
【０００１】
本発明は、例えば車両等の移動体に装着され、移動可能な複数の可動ユニットをその前面パネル部に配置した電子機器であって、その可動ユニットに対する電源供給とその制御方法の技術分野に属する。
【背景技術】
【０００２】
従来の電子機器では、例えば車両のインストルメントパネルに装着されるＣＤ（Compact  Disc）プレーヤ、ＤＶＤ（Digital  Versatile  Disc）プレーヤ、ＭＤ（Mini  Disc）プレーヤ、ＡＭ／ＦＭチューナ等の種々のカーオーディオ装置、或いはこれらが一体として複合化されたカーオーディオ装置、更にこれらとナビゲーション装置とが一体化されたもの等が存在する。また、リモートコントロールで操作する手段を備えた形態の電子機器がある。
【０００３】
上述したように、これらカーオーディオ装置等は益々操作機能が増え、操作が複雑になる方向にあり、限定されたインストルメントパネルの領域にこれら多くの操作機能を設けなければならない。この対策としては種々提案されているところである。例えば操作キー等を設けた操作ユニットをカーオーディオ装置の前面パネル部に、相前後して複数個設け、操作機能や表示機能をそれぞれの操作ユニットに分配して設けるものが提案されている。更にこのような装置に加えてリモートコントロールで操作するシステムも提案されている。
【０００４】
例えば、カーオーディオ装置の前面パネル部に２つの操作ユニットが相前後して設けられている場合、その使用状態としては２つのうちの前方に設けられた第一の操作ユニットのみを用いる場合と、第一の操作ユニットの背後に設けられた第二の操作ユニットをも同時に用いる場合がある。更には第二の操作ユニットの背部にあって電子機器本体の前面パネル部に設けられたディスクを挿排するための挿入口を使用する場合等があり、それに応じて２つの操作ユニットを開閉動作させているものがある。
【０００５】
【特許文献１】特開２００３−１７４６８８
【発明の開示】
【発明が解決しようとする課題】
【０００６】
さて、第一の操作ユニットのみを用いる場合に、第二の操作ユニットも作動している状態であれば、無駄な電力が消費され続けることになる。更には、高周波駆動を必要とするデバイス等が第二の操作ユニットに配備されていれば、その駆動による高周波ノイズが放射され、または信号ラインや電源ラインを介して第一の操作ユニットにノイズが侵入し、特に第一の操作ユニットにノイズが侵入する。例えば、第一の操作ユニットが構成されうる金属パネルや、第二の操作ユニットの内部に設けられた回路基板における回路パターン等にそのノイズが飛びつき、第一の操作ユニットの筐体やそのパターンを通して、例えば、電子機器本体に設けられたＡＭ／ＦＭチューナ（以下チューナと称して説明する）に影響を与え、チューナの電波を受信する感度（Ｓ／Ｎ比）が著しく悪化することが懸念されていた。特に、第一の操作ユニットに対し第二の操作ユニットを密接している状態では高周波のノイズが与える影響は大きい。
【０００７】
従って、本発明は上記問題点の解決を1つの課題として捉え、複数の可動ユニットが独立して動作可能であり、かつ電子機器本体の前面パネル部に対して移動可能に設けられている電子機器において、例えば、電子機器本体に設けられたチューナのＳ／Ｎ比の低下を防止し、又は消費電力を低下させる電子機器とその制御方法を提供することを目的とする。
【課題を解決するための手段】
【０００８】
本発明の請求項１に記載の電子機器は、電源が供給されることにより各々が独立して動作可能であり、かつ各々が機器本体の前面パネル部に対して移動可能となる第1の可動ユニットと第2の可動ユニットを備えた電子機器であって、前記第1の可動ユニットと前記第2の可動ユニットに電源を供給する電源供給手段と、前記第1の可動ユニットと前記第2の可動ユニットの位置を検出する位置検出手段と、前記位置検出手段の検出結果に応じて前記第2の可動ユニットへの電源供給のみを遮断する電源制御手段と、を備える。
【０００９】
本発明の請求項３に記載の電子機器の制御方法は、電源が供給されることにより各々が独立して動作可能であり、かつ各々が機器本体の前面パネル部に対して移動可能となる第1の可動ユニットと第2の可動ユニットを備えた電子機器の制御方法であって、前記第1の可動ユニットと前記第2の可動ユニットの位置を検出する工程と、前記位置の検出結果に応じて前記第2の可動ユニットへの電源供給を遮断する工程と、を有する。
【発明を実施するための最良の形態】
【００１０】
本発明における一実施形態の電子機器について図１〜図１０を参照して説明する。尚、ここで説明する電子機器は、電子機器本体の前面パネル部に相前後して設ける２つの可動ユニットと、後方に配置される可動ユニットの更に背部に位置する電子機器本体の前面パネル部に、ディスクを挿排するための開口部を備える形態である。２つの可動ユニットは各々個別に移動動作をすると共に、各々の操作ユニットの開閉状態と、ディスクのイジェクト可能な状態を検出する検出手段を有している。
【００１１】
まず、図１は本実施形態の電子機器１の構成を示す概略のブロック図であって、電子機器１は電子機器本体２、第1の可動パネルとしての第一操作ユニット３、第2の可動パネルとしての第二操作ユニット４で構成される。電子機器本体２の前方に配置されているものを第一操作ユニット３、第一操作ユニット３の背後に配置されているものを第二操作ユニット４とする。
【００１２】
第一操作ユニット３には電子機器１を操作する操作キー１０（図５に示す）、電子機器１の機能や操作状態を示す表示装置９、第一操作ユニット３の各機能や表示装置９を制御する第1制御手段としての制御ＣＰＵ２１が備わる。表示装置９は多くの操作キー１０等の関係で、例えば小型のＬＣＤ（Liquid  Crystal  Display）が用いられ、電子機器１の機能や動作状態を簡便に表示するのに適する。
【００１３】
また、第二操作ユニット４には電子機器１を操作する操作キー１７（図９に示す）、電子機器１の機能や操作状態を示す表示装置１９、第二操作ユニット４の各機能や表示装置１９を制御する第2制御手段としての制御ＣＰＵ２２が備わる。第二操作ユニット４では、主な操作キーは第一操作ユニット３に設けることで、操作キー１７を少なくすることができ、従って、表示装置１９を大きく高精細なものを用いることができる。この表示装置１９として有機ＥＬ（Electro-Luminescence）が好適に用いられ、電子機器１の機能や動作状態を詳細に表示することができ、また、映像の表示も可能である。
【００１４】
電子機器本体２には電子機器１の全体の制御をするシステムＣＰＵ３１、第一操作ユニット３の表示装置９に電源を供給する表示装置用電源３２、第一操作ユニット３の制御ＣＰＵ２１に電源を供給する制御ＣＰＵ用電源３３、第二操作ユニット４の表示装置１９に電源を供給する表示装置用電源３４、第二操作ユニット４の制御ＣＰＵ２２に電源を供給する制御ＣＰＵ用電源３５を備える。
【００１５】
また、第一操作ユニット３及び第二操作ユニット４を各々個別に移動させる駆動部３６、第一操作ユニット３及び第二操作ユニット４の開閉位置、及びイジェクト可能な位置を検出する位置検出部３７、位置検出部３７からの信号に基づき位置信号に変換する位置検出回路３８を備える。
【００１６】
また、電子機器本体２にはディスクを再生する機能としてディスク再生装置３９が機能の一つとして加わり、ディスク挿入口７からディスク８が挿排される。これらの位置検出は第一操作ユニット３及び第二操作ユニット４の動作を駆動源から伝達するアームの動作によって、所定位置に設けられたスイッチ等に作用することで行われる。
【００１７】
図１で第二操作ユニット４が閉じていればディスク挿入口７を覆う位置として検出され、また、第一操作ユニット３も第二操作ユニット４の前方に覆う状態で配置されていれば、同様な位置にあることが検出される。他の状態にあれば当然その状態に対応した位置情報が出力される。
【００１８】
尚、操作ユニットは上述したように２つの操作ユニットに限ることはなく、更に多くてもよいが、それらを個別に駆動する機構とそれらの位置が検出できる手段をそれぞれ設ける必要がある。
【００１９】
次に、図２及び図３を参照して電子機器１の制御方法について説明する。第二操作ユニット４がディスク挿入口７を完全に覆う状態にあり、更に第一操作ユニット３も第二操作ユニット４を覆う状態にある場合、即ち、第二操作ユニット４が外部から視認できない状態で電子機器１が作動中の場合、第二操作ユニット４に供給する電源を遮断する方法である。その電源遮断は、例えば表示装置１９に加える電源を遮断した後、制御ＣＰＵ２２に加える電源を遮断するように構成される。
【００２０】
図２に示すように、第一操作ユニット３、第二操作ユニット４の位置を、位置検出部３７を構成する位置検出ＳＷ１、ＳＷ２，ＳＷ３からの信号に基づき、システムＣＰＵ３１で判断する。システムＣＰＵ３１が、第二操作ユニット４がディスク挿入口７を覆う状態になり、第一操作ユニット３が第二操作ユニット４を覆う状態になったと判断した場合、まず第二操作ユニット４の表示装置１９に電源を供給する表示装置用電源３４を遮断し、次に第二操作ユニット４の制御ＣＰＵ２２に供給する制御ＣＰＵ用電源を遮断する。
【００２１】
図３は制御のタイミングチャートであり、第一操作ユニット３と第二操作ユニット４との移動動作に関した例である。時刻ｔ０では、第二操作ユニット４がディスク挿入口７を覆い、第一操作ユニット３が第二操作ユニット４を覆っている状態（以下初期「クローズ」の状態と称して説明する）にある。その初期の状態では、位置検出ＳＷ１は「Ｌ」、位置検出ＳＷ２は「Ｈ」、位置検出ＳＷ３は「Ｈ」となっている。そしてそれら操作ユニットを移動させるための操作指示があったとすると第二操作ユニット４の表示装置電源と制御ＣＰＵ電源がＯＮとなり、第一操作ユニット３と第二操作ユニット４はディスク挿入口７を前方に露出させるべく、下方に向かって移動を開始する。このとき位置検出ＳＷ１が「Ｌ」から「Ｈ」になり、３つの位置検出ＳＷの出力は、各々「Ｈ」となる。
【００２２】
次に、第一操作ユニット３と第二操作ユニット４が移動して時刻ｔ１でディスク挿入口７が完全に露出し、ディスクイジェクトを可能とする状態（以下「イジェクト」の状態と称して説明する）になる。そのイジェクト状態では、位置検出ＳＷ１」は「Ｈ」、位置検出ＳＷ２は「Ｈ」、位置検出ＳＷ３は「Ｌ」を出力する。
各々の位置検出ＳＷがこの信号を出力している間はディスクの挿排が可能とされる。つまり、これらの位置検出ＳＷの各々がこの信号を出力している間にディスクを挿排するための指令が発せられなかった場合、所定の時間が経過した後に、第一操作ユニット３と第二操作ユニット４の移動動作が再開される。
【００２３】
イジェクトの状態から、第二操作ユニット４が上方に移動を開始すると、位置検出ＳＷ２は「Ｈ」から「Ｌ」になる。第二操作ユニット４が情報に移動し、第一操作ユニット３はそのまま下方に移動する。そして、第二操作ユニット４が上方に移動し続けて、ディスク挿入口７を完全に覆う状態になってから停止し（時刻ｔ２）、第一操作ユニット３の移動も停止する。このとき、位置検出ＳＷ１の出力は「Ｈ」、位置検出ＳＷ２の出力は「Ｌ」、位置検出ＳＷ３の出力は「Ｈ」となり、第二操作ユニット４によりディスク挿入口７を覆い、第一操作ユニット３が第二操作ユニット４を開放した状態（以下「オープン」の状態と称して説明する）になる。
【００２４】
次に、オープンの状態から時刻ｔ３で第一操作ユニット３と第二操作ユニット４を初期の状態に戻すべく操作指示がなされたとすると、第二操作ユニット４は下方に移動し、第一操作ユニット３が上方に移動する。このとき、位置検出ＳＷ３の出力は「Ｈ」から「Ｌ」になり、位置検出ＳＷ１が「Ｈ」、位置検出ＳＷ２が「Ｌ」を各々出力する。
【００２５】
そして、時刻ｔ４でイジェクト状態になると位置検出ＳＷ２は「Ｌ」から「Ｈ」になり、位置検出ＳＷ１は「Ｈ」、位置検出ＳＷ３は「Ｌ」を出力する。そのイジェクトの状態から、第二操作ユニット４が上方に移動を開始すると、位置検出ＳＷ３は「Ｌ」から「Ｈ」になる。第二操作ユニット４が上方に移動し、第一操作ユニット３はそのまま上方に移動する。
【００２６】
そして、第二操作ユニット４が上方に移動し続けて、ディスク挿入口７を完全に覆う状態にしてから停止し（時刻ｔ５）、第一操作ユニット３の移動も第二操作ユニット４を覆う状態にしてから停止する（クローズの状態）。このとき、位置検出ＳＷ１の出力は「Ｈ」から「Ｌ」になり、位置検出ＳＷ２の出力は「Ｈ」、位置検出ＳＷ３の出力は「Ｈ」になる。
【００２７】
このように、３つの位置検出ＳＷにより第一操作ユニット３と第二操作ユニット４の位置を知ることができる。つまり、位置検出ＳＷ１が「Ｌ」、位置検出ＳＷ２が「Ｈ」、位置検出ＳＷ３が「Ｈ」のときは初期の状態にあることを知り、位置検出ＳＷ１が「Ｈ」、位置検出ＳＷ２が「Ｈ」、位置検出ＳＷ３が「Ｌ」のときはイジェクトの状態にあることを知り、位置検出ＳＷ１が「Ｈ」、位置検出ＳＷ２が「Ｌ」、位置検出ＳＷ３が「Ｈ」のときはオープンの状態にあることを知ることができる。
【００２８】
本実施形態による制御は、この位置検出ＳＷ１の出力が「Ｌ」、位置検出ＳＷ２の出力が「Ｈ」、位置検出ＳＷ３の出力が「Ｈ」のとき、即ち、第二操作ユニット４がディスク挿入口７を元の状態で完全に覆い、第一操作ユニット３も第二操作ユニット４を完全に覆う状態において、第二操作ユニット４の表示装置１９に供給する電源を遮断し、次いで制御ＣＰＵ２２に供給する電源を遮断しようとするものである。従って、時刻ｔ６で第二操作ユニットの表示装置電源は０ＦＦにされ、所定時間経過後の時刻ｔ７で第二操作ユニットの制御ＣＰＵ電源が０ＦＦにされることになる。
【００２９】
以上、各位置検出ＳＷの出力と第一操作ユニット３、第二操作ユニット４との関係と電力遮断の制御について説明したが、このような場合に限ることなく、位置検出ＳＷ１、ＳＷ２、ＳＷ３の出力が「Ｌ」、「Ｈ」、「Ｈ」となった場合は、第二操作ユニット４は動作していないとして、第二操作ユニット４に対する電力遮断を行うようにしてもよい。
【００３０】
次に、制御の流れを説明する。図４のフローチャートに示すように、まず、第一操作ユニット３及び第二操作ユニット４が初期の状態に戻す操作入力があったか否かを判別する（ステップＳ１０１）。入力が無い場合は、ステップＳ１０１に戻り入力されるまで待機する。入力があった場合、第一操作ユニット３及び第二操作ユニット４を移動させて、初期の状態に戻す動作を開始する（ステップＳ１０２）。
【００３１】
次に、位置検出ＳＷ１の出力が「Ｌ」であるか否かを判別する（ステップＳ１０３）。「Ｌ」でなければステップＳ１０３に戻り、「Ｌ」であれば次に位置検出ＳＷ２の出力が「Ｈ」であるか否かを判別する（ステップＳ１０４）。「Ｈ」でなければステップＳ１０３に戻り、再度、位置検出ＳＷ１の出力からチェックする。一方、「Ｈ」であれば次に位置検出ＳＷ３の出力が「Ｈ」であるか否かを判別する（ステップＳ１０５）。「Ｈ」でなければステップＳ１０３に戻り、再度、位置検出ＳＷ１の出力からチェックする。
【００３２】
一方、位置検出ＳＷ３の出力が「Ｈ」であれば第二操作ユニット４は初期の状態にあり、第二操作ユニット４の表示装置用電源３４をＯＦＦする（ステップＳ１０６）。表示装置用電源３４のＯＦＦを確認した後（ステップＳ１０７）、第二操作ユニット４の制御ＣＰＵ用電源３５をＯＦＦして（ステップＳ１０８）、制御動作は完了する。
【００３３】
尚、制御の流れは上述したことに限ることは無く、本発明の実施形態としてその技術思想を実現するものであれば如何なる形態の流れをとってもよいものである。
【００３４】
上述したように第二操作ユニット４が使用されていない状態でディスク挿入口７を完全に覆い、更に第一操作ユニット３も第二操作ユニット４を覆う状態にある場合、第二操作ユニット４の電源を遮断することで、例えば電子機器本体２に設けられたチューナに対し輻射ノイズによるＳ／Ｎ比の低下を防ぎ、また、消費電力を低減できる。特に大型で高精細な有機ＥＬ表示装置を、第二操作ユニット４が備えている場合、効果が大きい。
【００３５】
また、表示装置１９に加える電源を遮断した後、制御ＣＰＵ２２に加える電源を遮断することにより表示装置１９への初期設定の誤りや誤表示を防止する。
【００３６】
次に本実施形態に係わる電子機器の構成について図５〜図１０を参照して説明する。尚、図３のタイミングチャートと図４のフローチャートとの関連について適宜対応をつけて説明する。
【００３７】
図５に示すように電子機器１は、電子機器１を操作するための２つの操作ユニット、第一操作ユニット３及び第二操作ユニット４が電子機器本体２の前面パネル部１５に、第一操作ユニット３を前方に、また第二操作ユニット４を後方にして相前後して配置されている。
【００３８】
第一操作ユニット３の前面には表示装置９、各種の操作キー１０、受光部１２、オープン／クローズキー１６等が備わり、第二操作ユニット４には図９に示すように、操作キー１７、表示装置１９が備わる。
【００３９】
第一操作ユニット３の表示装置９は電子機器１の機能、動作状態を表示する。操作キー１０は電子機器１を操作するための入力キーであり、また、受光部１２はリモートコントロール端末からの赤外線による信号を受光する部位である。オープン／クローズキー１６はこの操作キーを操作することにより自動で第一操作ユニット３と第二操作ユニット４を開閉動作させる入力キーである。
【００４０】
また、第二操作ユニット４の操作キー１７もまた、電子機器１を操作するための入力キーであり、表示装置１９は電子機器１の機能、動作状態に加えて詳細な説明を表示する機能を有する。
【００４１】
尚、表示手段として表示装置９には例えばＬＣＤが、また、表示装置１９には例えば有機ＥＬが好適に用いられる。
【００４２】
この第一操作ユニット３と第二操作ユニット４の２つの操作ユニットを設けることによって、例えば車載用の電子機器ではその制限されるインストルメントパネルのスペースで多くの操作キー１０、１７を配置でき、また、大きく高精細な表示装置１９を設けることが可能となっている。第二操作ユニット４を利用する必要がある場合は、後段で詳しく説明するが第一操作ユニット３が所定の位置に移動して、第二操作ユニット４がユーザに良く見えるように構成されている。また、２つの操作ユニットに限ることなく、更に多くの操作ユニットを設けることも可能である。
【００４３】
また、電子機器１はその機能を担うための各種構成要素、例えばオーディオ再生装置であればＣＤ再生機構やＭＤ再生機構、ＣＤ、ＭＤ収納部等が、ラジオ受信装置であればＡＭ／ＦＭ放送電波を受信するチューナ、受信電波から音声信号に変換する復調手段等が、テレビであれば映像電波を受信するチャンネルチューナ、受信した電波から映像信号や音声信号を復調する復調手段等が、更にＤＶＤ装置等の機能が備えられているものである。テレビの映像表示に第二操作ユニット４の表示装置１９を兼用することも可能である。
【００４４】
次に電子機器１の第一操作ユニット３と第二操作ユニット４の構造の一例とその動作について説明する。図５は電子機器１の初期の状態であって、図６は図５に示す電子機器１の矢印Ａ−Ａで示す部位の断面側面図である。図６からよく分かるように、この状態では第一操作ユニット３と第二操作ユニット４は前面パネル部１５に第一操作ユニット３を前にして重なるように配置されている。従って、これらは密接した状態で配置されることになり、また、特に、第二操作ユニット４に有機ＥＬを用いた表示装置１９等がある場合には、その表示装置１９等の駆動により輻射ノイズが電子機器本体２に設けられたチューナに影響を与え、Ｓ／Ｎ比を低下させる原因となる。
【００４５】
次に、ユーザが図３における時刻ｔ０で第一操作ユニット３の操作キー１０を操作して、或いはリモートコントロールからの送信信号を受信部１２で受信することにより、第一操作ユニット３、及び第二操作ユニット４の移動が開始され、図３における時刻ｔ１でディスク挿入口７が露出した状態になる。
【００４６】
図７は時刻ｔ１おいてディスク挿入口７が露出した状態を示していて、ディスクの挿排を可能とする状態である。図８は図７に示す電子機器１の矢印Ｂ−Ｂで示す部位の断面側面図である。この状態で位置検出ＳＷ１の出力は「Ｈ」、位置検出ＳＷ２の出力は「Ｈ」、位置検出ＳＷ３は「Ｌ」となる。
【００４７】
図９は、例えば、ディスクイジェクトが完了した後、第二操作ユニット４が再度上昇してディスク挿入口７を覆うとともに、ユーザが視認しやすいようにユーザの視線に合わせて斜めの状態にセットされ（図３における時刻ｔ２）、表示装置１９等が作動している状態である。図１０は図９に示す電子機器１の矢印Ｃ−Ｃで示す部位の断面側面図である。
【００４８】
図９に示す状態では第一操作ユニット３と第二操作ユニット４とは離れた位置にあるので、表示装置１９が輻射ノイズ等の影響を及ぼすことは少ない。この状態から図３における時刻ｔ４で第一操作ユニット３と第二操作ユニット４を閉じる操作がユーザによりされると、図３における時刻ｔ５で閉じる動作が完了し、図５に示す状態に戻る。
【００４９】
この状態では図６からよく分かるように表示装置１９と第一操作ユニット３は密着した位置関係になり、表示装置１９の電磁波的影響が大きくなるので、これを防止するため電子機器本体２に内蔵された表示装置用電源３４、ついで制御ＣＰＵ用電源３５を遮断して、順次、表示装置１９の動作と制御ＣＰＵ２２の動作を停止させることになる。
【００５０】
尚、上述したシステムは音声を扱う電子機器に限らず、映像を扱う電子機器に用いても良いものである。また、車両搭載用の機器に限ることなく一般家庭で用いられる電子機器に適用しても良いものである。
【００５１】
以上説明したように、本実施形態の電子機器によれば、２つの可動ユニットが完全に電子機器本体の前面パネル部に納められたことを検出して、背部の第2の可動ユニットは使用状態にないことを知り、この背部の第2の可動ユニットへの電源供給を遮断することによって、例えば、輻射ノイズの発生を無くし、チューナ受信時の感度悪化等の性能劣化を防止することが可能になる。
【００５２】
また、使用状態にない第2の可動ユニットへの電源供給を遮断することで、消費電力を低減できる。
【図面の簡単な説明】
【００５３】
【図１】本実施形態の電子機器の構成を示す概略のブロック図である。
【図２】本実施形態の電子機器の制御について説明するためのブロック図である。
【図３】本実施形態の電子機器の制御に関するタイミングチャートである。
【図４】本実施形態の電子機器の制御の流れを示すフローチャートである。
【図５】本実施形態の電子機器制御システムに用いる電子機器の構成を示す斜視図である。
【図６】図５に示す電子機器の矢印Ａ−Ａにおける断面を示す部分断面側面図である。
【図７】本実施形態の電子機器制御システムに用いる電子機器の、図５に続く動作形態を示す斜視図である。
【図８】図７に示す電子機器の矢印Ｂ−Ｂにおける断面を示す部分断面側面図である。
【図９】本実施形態の電子機器制御システムに用いる電子機器の、図７に続く動作形態を示す斜視図である。
【図１０】図９に示す電子機器の矢印Ｃ−Ｃにおける断面を示す部分断面側面図である。
【符号の説明】
【００５４】
１・・・電子機器
２・・・電子機器本体
３・・・第一操作ユニット
４・・・第二操作ユニット
７・・・ディスク挿入口
８・・・ディスク
９、１９・・・表示装置
１０、１７・・・操作キー
１２・・・受光部
１５・・・前面パネル部
１６・・・オープン／クローズキー
２０・・・アーム
２１、２２・・・制御ＣＰＵ
３１・・・システムＣＰＵ
３２、３４・・・表示装置用電源
３３、３５・・・制御ＣＰＵ用電源
３６・・・駆動部
３７・・・位置検出部
３８・・・位置検出回路
３９・・・ディスク再生装置
【図１】
2004234836.tif 000003
【図２】
2004234836.tif 000004
【図３】
2004234836.tif 000005
【図４】
2004234836.tif 000006
【図５】
2004234836.tif 000007
【図６】
2004234836.tif 000008
【図７】
2004234836.tif 000009
【図８】
2004234836.tif 000010
【図９】
2004234836.tif 000011
【図１０】
2004234836.tif 000012